(57)【特許請求の範囲】
【請求項１】
ユーザが押下して所定の操作を行うための複数のキースイッチを有する電子機器であって、
前記各キースイッチは、
ユーザによる前記押下に至る前の、ユーザの指先の接触を検出する機能を有し、前記指先の接触を検出したとき、検出信号を生成して出力するセンサ部と、
入力される前記検出信号に基づいて、自キースイッチに対してキーバックライトとして発光するキーバックライト発光部とを備えていることを特徴とするキーバックライト付き電子機器。
【請求項２】
前記各キースイッチの前記センサ部は、
前記指先の接触を検出したとき、前記検出信号を生成して出力すると共に、該検出信号に基づき、予め対応付けられた他のキースイッチに対してバックライト発光を指示するための発光指示信号を送出することを特徴とする請求項１記載のキーバックライト付き電子機器。
【請求項３】
前記各キースイッチの前記キーバックライト発光部は、
入力される前記検出信号に基づく場合の他にも、予め対応付けられた他のキースイッチのうちの少なくとも１つのキースイッチから入力される前記発光指示信号に基づいて、自キースイッチに対してキーバックライトとして発光することを特徴とする請求項２記載のキーバックライト付き電子機器。
【請求項４】
前記各キースイッチは、
予め対応付けられた他のキースイッチのうちの少なくとも１つのキースイッチから入力される前記発光指示信号に基づいて、周辺検出信号を生成して出力する周辺センサ検出部をさらに備え、
前記各キースイッチの前記キーバックライト発光部は、
前記センサ部から入力される前記検出信号に基づく場合の他にも、前記周辺センサ検出部から入力される前記周辺検出信号に基づいて、自キースイッチに対してキーバックライトとして発光することを特徴とする請求項３記載のキーバックライト付き電子機器。
【請求項５】
ユーザが押下して所定の操作を行うための複数のキースイッチを有し、前記各キースイッチが、センサ部と、キーバックライト発光部とを備える電子機器で使用されるキーバックライト発光方法であって、
前記センサ部が、ユーザによる前記押下に至る前の、ユーザの指先の接触を検出したとき、検出信号を生成して出力し、
前記キーバックライト発光部が、前記センサ部から前記検出信号が入力されると、自キースイッチに対してキーバックライトとして発光することを特徴とするキーバックライト発光方法。
【請求項６】
前記各キースイッチの前記センサ部は、
前記指先の接触を検出したとき、前記検出信号を生成して出力すると共に、該検出信号に基づき、予め対応付けられた他のキースイッチに対してバックライト発光を指示するための発光指示信号を送出することを特徴とする請求項５記載のキーバックライト発光方法。
【請求項７】
前記各キースイッチの前記キーバックライト発光部は、
入力される前記検出信号に基づく場合の他にも、予め対応付けられた他のキースイッチのうちの少なくとも１つのキースイッチから前記発光指示信号が入力されると、自キースイッチに対してキーバックライトとして発光することを特徴とする請求項６記載のキーバックライト発光方法。
【請求項８】
コンピュータに請求項１、２、３又は４記載のキーバックライト付き電子機器のバックライト発光機能を実現させるための制御プログラム。
【発明の詳細な説明】
【０００１】
【発明の属する技術分野】
この発明は、キーバックライト付き電子機器、及び該電子機器に用いられる制御プログラム、並びにキーバックライト発光方法に係り、特に、電池が電源として用いられ、使用可能時間に限界がある携帯用として好適なキーバックライト付き電子機器、及び該電子機器に用いられる制御プログラム、並びにキーバックライト発光方法に関する。
【０００２】
【従来の技術】
携帯電話機などのような携帯用の電子機器は、暗い場所でも操作が可能なように、キースイッチにキーバックライトが設けられて照明されるようになっている。このキーバックライトに用いられる発光ダイオード（Light Emitting Diode、以下、「ＬＥＤ」という）、エレクトロ・ルミネセンス（Electro Luminescence、以下、「ＥＬ」という）及び蛍光管などは、発光時に大きな電力が消費される。そのため、従来の電子機器は、キースイッチが押下されたとき、一定時間だけキーバックライトが点灯し、キースイッチの押下が繰り返される度に同じ一定時間だけキーバックライトが点灯する構成になっている。また、或るキースイッチが押下された後、次に押下されるキースイッチが不明なので、全てのキースイッチのキーバックライトが点灯するようになっている。
【０００３】
しかしながら、このような構成では、キースイッチが押下される度に全てのキースイッチのキーバックライトを点灯させる必要があり、頻繁にキー操作が行われる例えば電子メール機能やゲーム機能が搭載された電子機器では、電源である電池の消耗が激しい。その結果、使用可能時間が短くなるという問題点があった。また、キースイッチの押下によってキーバックライトが点灯するという動作が行われるため、ユーザが同キーバックライトを点灯させるためのトリガとして任意のキースイッチを故意に押下する必要がある。このように、ユーザが本来希望する操作とは無関係なキースイッチの押下が必要であり、使い勝手が悪いという問題点があった。
【０００４】
これらの問題点を改善した電子機器としては、例えば、文献１；特開平03-266883 号公報、文献２；特開平04-117735 号公報、文献３；特開平09-107324 号公報、文献４；特開平09-134243 号公報、文献５；特開平10-269884 号公報、及び文献６；特開2000-259575 号公報などに記載されたものがある。
これらの電子機器では、周囲の光に反応するセンサを用いて同電子機器が存在する場所の明るさの検出が行われ、この検出結果に基づき、周囲が暗く、キーバックライトを点灯する必要があると判断された場合のみ、同キーバックライトが点灯される。
【０００５】
ところが、これらの電子機器では、周囲が暗い場合に常にキーバックライトが点灯し、消費電力が増加するという問題が発生する。このため、ユーザは、キーバックライトを点灯する必要があるか否かを判断し、点灯する必要がある場合は、キーバックライトを点灯させるためのトリガとして任意のキースイッチを故意に押下する必要があり、同ユーザが本来希望する操作とは無関係なキースイッチの操作が必要になるという問題点があった。
【０００６】
この問題点を改善した電子機器としては、例えば、文献７；特開平11-331327号公報、文献８；特開2000-106598 号公報、及び文献９；特開2000-196742 号公報などに記載されたものがある。
これらの電子機器では、ユーザの接触を検出するためのタッチセンサなどが外部に設けられ、同タッチセンサから出力された検出信号に基づいて全てのキースイッチのキーバックライトが点灯し、ユーザがキースイッチを故意に押下する必要がない。
【０００７】
【発明が解決しようとする課題】
しかしながら、上記文献７、文献８及び文献９に記載された電子機器では、次のような問題点があった。
すなわち、ユーザが押下したいキースイッチが不明なので、タッチセンサから出力された検出信号に基づいて全てのキースイッチのキーバックライトが点灯するようになっている。このため、消費電力が大きくなり、使用可能時間が短くなるという問題点があった。
【０００８】
この発明は、上述の事情に鑑みてなされたもので、ユーザが本来希望する操作とは無関係なキースイッチを故意に押下する必要がなく、かつ、電力消費を低減したキーバックライト付き電子機器、及び該電子機器に用いられる制御プログラム、並びにキーバックライト発光方法を提供することを目的としている。
【０００９】
【課題を解決するための手段】
上記課題を解決するために、請求項１記載の発明は、ユーザが押下して所定の操作を行うための複数のキースイッチを有するキーバックライト付き電子機器に係り、前記各キースイッチが、ユーザによる前記押下に至る前の、ユーザの指先の接触を検出する機能を有し、前記指先の接触を検出したとき、検出信号を生成して出力するセンサ部と、入力される前記検出信号に基づいて、自キースイッチに対してキーバックライトとして発光するキーバックライト発光部とを備えていることを特徴としている。
【００１０】
請求項２記載の発明は、請求項１記載のキーバックライト付き電子機器に係り、前記各キースイッチの前記センサ部が、前記指先の接触を検出したとき、前記検出信号を生成して出力すると共に、該検出信号に基づき、予め対応付けられた他のキースイッチに対してバックライト発光を指示するための発光指示信号を送出することを特徴としている。
【００１１】
請求項３記載の発明は、請求項２記載のキーバックライト付き電子機器に係り、前記各キースイッチの前記キーバックライト発光部が、入力される前記検出信号に基づく場合の他にも、予め対応付けられた他のキースイッチのうちの少なくとも１つのキースイッチから入力される前記発光指示信号に基づいて、自キースイッチに対してキーバックライトとして発光することを特徴としている。
【００１２】
請求項４記載の発明は、請求項３記載のキーバックライト付き電子機器に係り、前記各キースイッチが、予め対応付けられた他のキースイッチのうちの少なくとも１つのキースイッチから入力される前記発光指示信号に基づいて、周辺検出信号を生成して出力する周辺センサ検出部をさらに備え、前記各キースイッチの前記キーバックライト発光部が、前記センサ部から入力される前記検出信号に基づく場合の他にも、前記周辺センサ検出部から入力される前記周辺検出信号に基づいて、自キースイッチに対してキーバックライトとして発光することを特徴としている。
【００１３】
請求項５記載の発明は、ユーザが押下して所定の操作を行うための複数のキースイッチを有し、前記各キースイッチが、センサ部と、キーバックライト発光部とを備える電子機器で使用されるキーバックライト発光方法に係り、前記センサ部が、ユーザによる前記押下に至る前の、ユーザの指先の接触を検出したとき、検出信号を生成して出力し、前記キーバックライト発光部が、前記センサ部から前記検出信号が入力されると、自キースイッチに対してキーバックライトとして発光することを特徴としている。
【００１４】
請求項６記載の発明は、請求項５記載のキーバックライト発光方法に係り、前記各キースイッチの前記センサ部が、前記指先の接触を検出したとき、前記検出信号を生成して出力すると共に、該検出信号に基づき、予め対応付けられた他のキースイッチに対してバックライト発光を指示するための発光指示信号を送出することを特徴としている。
【００１５】
請求項７記載の発明は、請求項６記載のキーバックライト発光方法に係り、前記各キースイッチの前記キーバックライト発光部が、入力される前記検出信号に基づく場合の他にも、予め対応付けられた他のキースイッチのうちの少なくとも１つのキースイッチから前記発光指示信号が入力されると、自キースイッチに対してキーバックライトとして発光することを特徴としている。
【００１６】
請求項８記載の発明は、制御プログラムに係り、コンピュータに請求項１、２、３又は４記載のキーバックライト付き電子機器のバックライト発光機能を実現させる事を特徴としている。
【００１７】
【発明の実施の形態】
以下、図面を参照して、この発明の実施の形態について説明する。
第１の実施形態
図１は、この発明の第１の実施形態である携帯電話機（すなわち、電子機器）の要部を示す外観図である。
この形態の携帯電話機は、同図に示すように、ユーザが所定の操作を行うための複数のキースイッチ１０，２０，…，９０，…を有し、前記操作に基づいた動作を行う。この携帯電話機は、電池が電源として用いられ、使用可能時間に限界があるものである。
【００１８】
図２は、図１中のキースイッチ１０の電気的構成を示すブロック図である。
このキースイッチ１０は、図２に示すように、センサ部１１と、周辺センサ検出部１２と、キーバックライト発光部１３と、出力端子１４と、入力部１５とで構成されている。
センサ部１１は、ユーザの指先の接近又は接触を検出したとき、検出信号Ｍを生成して出力すると共に、同検出信号Ｍに基づき、予め対応付けられた他のキースイッチに対して同キースイッチのキーバックライトの発光を指示するための発光指示信号Ｊを出力端子１４を介して送出する。周辺センサ検出部１２は、予め対応付けられた他のキースイッチから送出された発光指示信号Ｋ1 ，Ｋ2 ，Ｋ3 ，Ｋ4 に基づいて検出信号Ｎを生成して出力する。キーバックライト発光部１３は、検出信号Ｍ又は検出信号Ｎに基づいて発光して自キースイッチ１０に照光する。キースイッチ２０，…，９０，…も、キースイッチ１０と同様の構成になっている。
【００１９】
図３は、図２のキースイッチ１０の電気的構成を示す回路図である。
このキースイッチ１０では、図３に示すように、センサ部１１は、センサ１１1 と、バッファ１１2 とで構成されている。センサ１１1 は、例えば同センサ１１1 と人体との間の静電容量の変化を検出する静電容量変化センサなどで構成され、ユーザの指先が接近又は接触したとき、出力信号Ｅを生成する。バッファ１１2 は、出力信号Ｅを波形整形することによって検出信号Ｍを生成する。
【００２０】
周辺センサ検出部１２は、４入力のＯＲ回路１２1 で構成されている。ＯＲ回路１２1 は、発光指示信号Ｋ1 ，Ｋ2 ，Ｋ3 ，Ｋ4 のうちの少なくとも１つが低レベル（以下、“Ｌ”という）から高レベル（以下、“Ｈ”という）に遷移したとき、“Ｈ”の検出信号Ｎを生成して出力する。
【００２１】
キーバックライト発光部１３は、２入力のＯＲ回路１３1 と、ｎチャネル型ＭＯＳＦＥＴ（以下、「ｎＭＯＳ」という）１３2 と、発光ダイオード（Light Emitting Diode、以下、「ＬＥＤ」という）１３3 と、抵抗１３4 とで構成されている。ＯＲ回路１３1 は、検出信号Ｍ又は検出信号Ｎうちの少なくとも１つが“Ｌ”から“Ｈ”に遷移したとき、“Ｈ”の駆動信号Ｐを生成して出力する。ｎＭＯＳ１３2 は、駆動信号Ｐが“Ｈ”のときオン状態になり、同駆動信号Ｐが“Ｌ”のときオフ状態になる。ＬＥＤ１３3 は、ｎＭＯＳ１３2 がオン状態になったときに発光する。抵抗１３4 は、ｎＭＯＳ１３2 及びＬＥＤ１３3 に流れる電流を、同ｎＭＯＳ１３2 及びＬＥＤ１３3 の許容電流に対応した値に制限する。出力端子１４は、検出信号Ｍを発光指示信号Ｊとして出力する。入力部１５は、発光指示信号Ｋ1 ，Ｋ2 ，Ｋ3 ，Ｋ4 を入力する入力端子１５1 ，１５2 ，１５3 ，１５4 で構成されている。
【００２２】
このキースイッチ１０では、ユーザの指先がセンサ１１1 に接近又は接触したとき、同センサ１１1 と人体との間の静電容量の変化が検出され、同センサ１１1 で“Ｈ”の出力信号Ｅが生成される。出力信号Ｅはバッファ１１2 で波形整形され、同バッファ１１2 で“Ｈ”の検出信号Ｍが生成される。検出信号ＭはＯＲ回路１３1 に入力され、同ＯＲ回路１３1 から“Ｈ”の駆動信号Ｐが出力される。駆動信号ＰはｎＭＯＳ１３2 のゲートに入力され、同ｎＭＯＳ１３2 がオン状態になる。このとき、電源電圧Ｖｃｃから抵抗１３4 、ＬＥＤ１３3 及びｎＭＯＳ１３2 を介してグランドに電流が流れ、同ＬＥＤ１３3 が発光してキースイッチ１０が照光される。また、検出信号Ｍは、他のキースイッチに対する発光指示信号Ｊとして出力端子１４から出力される。
【００２３】
また、他のキースイッチから送出される発光指示信号Ｋ1 ，Ｋ2 ，Ｋ3 ，Ｋ4 のうちの少なくとも１つが“Ｈ”になったとき、ＯＲ回路１２1 から“Ｈ”の検出信号Ｎが出力される。検出信号ＮはＯＲ回路１３1 に入力され、同ＯＲ回路１３1 から“Ｈ”の駆動信号Ｐが出力される。駆動信号ＰはｎＭＯＳ１３2 のゲートに入力され、同ｎＭＯＳ１３2 がオン状態になってＬＥＤ１３3 が発光し、キースイッチ１０が照光される。
【００２４】
図４は、図１中のキースイッチ１０，２０，３０，４０，５０の相互の接続状態及び各部の信号の流れを示す図である。
この図４に示すように、センサ部１１は、ユーザの指先の接近又は接触を検出したとき、検出信号Ｍを生成して出力すると共に、キースイッチ２０，３０，４０，５０の周辺センサ検出部２２，３２，４２，５２に対して発光指示信号Ｊを送出する。周辺センサ検出部２２，３２，４２，５２は、発光指示信号Ｊを入力したとき、検出信号Ｎを生成する。周辺センサ検出部１２は、キースイッチ２０，３０，４０，５０のセンサ部２１，３１，４１，５１から発光指示信号Ｋ1 ，Ｋ2 ，Ｋ3 ，Ｋ4 が送出されたとき、同発光指示信号Ｋ1 ，Ｋ2 ，Ｋ3 ，Ｋ4 に基づいて検出信号Ｎを生成して出力する。キーバックライト発光部１３は、検出信号Ｍ又は検出信号Ｎに基づいて発光して自キースイッチ１０に照光する。同様に、キースイッチ２０，３０，４０，５０のキーバックライト発光部２３，３３，４３，５３も、それぞれの検出信号Ｍ又は検出信号Ｎに基づいて発光して自キースイッチ２０，３０，４０，５０に照光する。
【００２５】
図５は、図１の携帯電話機の動作を説明するためのフローチャート、及び図６がキースイッチ１０，２０，３０，４０，５０の照光された状態を示す図である。
これらの図を参照して、この形態のキーバックライトの発光制御方法について説明する。
図５に示すように、携帯電話機の電源がオン状態にされた後、センサ部１１がユーザの指先の接近又は接触を検出し、検出信号Ｍを生成して出力する（ステップＡ１、第１の検出信号生成処理）。検出信号Ｍに基づき、キースイッチ１０に予め対応付けられたキースイッチ２０，３０，４０，５０に対してセンサ部１１が発光指示信号Ｊを送出する（ステップＡ２、発光指示信号送出処理）。キーバックライト発光部１３が検出信号Ｍに基づいて発光して自キースイッチ１０に照光する（ステップＡ３、第１の発光処理）。その後、ステップＡ１に戻って処理を繰り返す。
【００２６】
一方、検出信号Ｍが出力されないときは、キースイッチ２０，３０，４０，５０に対してセンサ部１１が発光指示信号Ｊを送出しない（ステップＡ４）。また、キースイッチ２０，３０，４０，５０から発光指示信号Ｋ1 ，Ｋ2 ，Ｋ3 ，Ｋ4 のうちの少なくとも１つが送出されたとき、送出された同発光指示信号に基づいて周辺センサ検出部１２が検出信号Ｎを生成して出力する（ステップＡ５、第２の検出信号生成処理）。キーバックライト発光部１３が検出信号Ｎに基づいて発光して自キースイッチ１０に照光する（ステップＡ６、第２の発光処理）。その後、ステップＡ１に戻って処理を繰り返す。
【００２７】
図１の携帯電話機では、ユーザの指先がキースイッチ１０に接近又は接触したとき、図６に示すように、同キースイッチ１０に照光されると共に、同キースイッチ１０に予め対応付けられたキースイッチ２０，３０，４０，５０のみに照光され、他のキースイッチ６０，７０，…は、照光されない。
【００２８】
以上のように、この第１の実施形態では、各キースイッチ１０，２０，…，９０，…に、ユーザの指先の接近又は接触を検出するセンサ部１１，２１，…，９１，…を設け、指先が接近又は接触したキースイッチ１０及び同キースイッチ１０に予め対応付けられたキースイッチ２０，３０，４０，５０のみのキーバックライトが発光するようにしたので、全てのキースイッチのキーバックライトが同時に発光することがなく、消費電力が低減される。このため、携帯電話機の使用可能時間が長くなる。さらに、ユーザが押下したいキースイッチに指が接近又は接触したことをトリガとしてキーバックライトが発光するので、ユーザが任意のキースイッチを故意に押下してキーバックライトを発光させる必要がなく、操作性が向上する。
【００２９】
第２の実施形態
図７は、この発明の第２の実施形態である携帯電話機の要部を示す外観図である。
この携帯電話機では、第１の実施形態を示す図１中のキースイッチ１０，２０，…，９０，…に代えて、異なる構成のキースイッチ１０Ａ，２０Ａ，…，９０Ａ，…が設けられている。
【００３０】
図８は、図７中のキースイッチ１０Ａの電気的構成を示す回路図であり、第１の実施形態を示す図３中の要素と共通の要素には共通の符号が付されている。
このキースイッチ１０Ａは、図８に示すように、センサ部１１Ａと、周辺センサ検出部１２Ａと、キーバックライト発光部１３Ａと、出力端子１４1 ，１４2 ，１４3 ，１４4 とで構成されている。センサ部１１Ａは、センサ１１1 と、バッファ１１2 と、ｎＭＯＳ１１3 ，１１4 ，１１4 ，１１5 とで構成されている。ｎＭＯＳ１１3 ，１１4 ，１１5 ，１１6 は、検出信号Ｍが“Ｈ”のときオン状態になり、同検出信号Ｍが“Ｌ”のときオフ状態になり、同検出信号Ｍが“Ｈ”のときに発光指示信号Ｑ1 ，Ｑ2 ，Ｑ3 ，Ｑ4 を出力端子１４1 ，１４2 ，１４3 ，１４4 を介して送出する。周辺センサ検出部１２Ａは、１つの入力端子で構成され、他のキースイッチから送出された発光指示信号Ｋ1 ，Ｋ2 ，Ｋ3 ，Ｋ4 が入力されるようになっている。キーバックライト発光部１３Ａ中のｎＭＯＳ１３2 は、検出信号Ｍが“Ｈ”のときオン状態になり、同検出信号Ｍが“Ｌ”のときオフ状態になる。キースイッチ２０Ａ，…，９０Ａ，…も、キースイッチ１０Ａと同様の構成になっている。
【００３１】
図９は、図７中のキースイッチ１０Ａ，２０Ａ，３０Ａ，４０Ａ，５０Ａの相互の接続状態及び各部の信号の流れを示す図である。
この図９に示すように、センサ部１１Ａは、ユーザの指先の接近又は接触を検出したとき、検出信号Ｍを生成して出力すると共に、キースイッチ２０Ａ，３０Ａ，４０Ａ，５０Ａの周辺センサ検出部２２Ａ，３２Ａ，４２Ａ，５２Ａに対して発光指示信号Ｑ1 ，Ｑ2 ，Ｑ3 ，Ｑ4 を送出する。周辺センサ検出部２２Ａ，３２Ａ，４２Ａ，５２Ａは、“Ｌ”の発光指示信号Ｑ1 ，Ｑ2 ，Ｑ3 ，Ｑ4 を入力したとき、同発光指示信号Ｑ1 ，Ｑ2 ，Ｑ3 ，Ｑ4 に基づいてキーバックライト発光部２３Ａ，３３Ａ，４３Ａ，５３Ａを発光させる。周辺センサ検出部１２Ａは、キースイッチ２０Ａ，３０Ａ，４０Ａ，５０Ａのセンサ部２１Ａ，３１Ａ，４１Ａ，５１Ａから“Ｌ”の発光指示信号Ｋ1 ，Ｋ2 ，Ｋ3 ，Ｋ4 が送出されたとき、同発光指示信号Ｋ1 ，Ｋ2 ，Ｋ3 ，Ｋ4 に基づいてキーバックライト発光部１３Ａを発光させ、キースイッチ１０Ａに照光する。このため、第１の実施形態と同様に、キースイッチ１０Ａに照光されると共に、同キースイッチ１０Ａに予め対応付けられたキースイッチ２０Ａ，３０Ａ，４０Ａ，５０Ａのみに照光され、他のキースイッチ６０Ａ，７０Ａ，…は、照光されない。
【００３２】
以上のように、この第２の実施形態では、各キースイッチ１０Ａ，２０Ａ，…，９０Ａ，…に、ユーザの指先の接近又は接触を検出するセンサ部１１Ａ，２１Ａ，…，９１Ａ，…を設け、指先が接近又は接触したキースイッチ及び同キースイッチに対応付けられたキースイッチのみのキーバックライトが発光するようにしたので、第１の実施形態と同様の利点がある。
【００３３】
第３の実施形態
図１０は、この発明の第３の実施形態である携帯電話機の要部を示す外観図である。
この携帯電話機では、第１の実施形態を示す図１中のキースイッチ１０，２０，…，９０，…に代えて、異なる構成のキースイッチ１０Ｂ，２０Ｂ，…，９０Ｂ，…が設けられている。
【００３４】
図１１は、図１０中のキースイッチ１０Ｂの電気的構成を示す回路図であり、第１の実施形態を示す図３中の要素と共通の要素には共通の符号が付されている。
このキースイッチ１０Ｂは、図１１に示すように、センサ部１１Ｂと、周辺センサ検出部１２Ｂと、キーバックライト発光部１３Ｂと、制御部１６とで構成されている。センサ部１１Ｂは、センサ１１1 と、バッファ１１2 とで構成されている。周辺センサ検出部１２Ｂは、１つの入力端子で構成され、発光指示信号Ｋ1 ，Ｋ2 ，Ｋ3 ，Ｋ4 及び検出信号Ｕが入力されるようになっている。キーバックライト発光部１３中のｎＭＯＳ１３2 は、発光指示信号Ｋ1 ，Ｋ2 ，Ｋ3 ，Ｋ4 又は検出信号Ｕの少なくとも１つが“Ｈ”のときオン状態になり、同発光指示信号Ｋ1 ，Ｋ2 ，Ｋ3 ，Ｋ4 及び検出信号Ｕが全て“Ｌ”のときオフ状態になる。
【００３５】
制御部１６は、入力Ｉ／Ｏ部１６1 と、中央処理装置（以下、「ＣＰＵ」という）１６2 と、リード・オンリ・メモリ（以下、「ＲＯＭ」という）１６3 と、出力Ｉ／Ｏ部１６4 とで構成されている。
入力Ｉ／Ｏ部１６1 は、センサ部１１Ｂから送出された検出信号Ｍを入力して所定のフォーマットの入力データＤに変換してＣＰＵ１６2 へ送出する。ＣＰＵ１６2 は、入力データＤをＲＯＭ１６3 に記録された制御プログラムに基づいて処理し、出力データＥを生成して出力する。出力Ｉ／Ｏ部１６4 は、出力データＥを入力して検出信号Ｕ及び発光指示信号Ｑ1 ，Ｑ2 ，Ｑ3 ，Ｑ4 を生成して出力する。なお、この出力Ｉ／Ｏ部１６4 の各信号の出力側は、トライステートの回路で構成され、検出信号Ｕ又は発光指示信号Ｑ1 ，Ｑ2 ，Ｑ3 ，Ｑ4 を出力しないとき、高インピーダンスになる。キースイッチ２０Ｂ，…，９０Ｂ，…も、キースイッチ１０Ａと同様の構成になっている。
【００３６】
図１２は、図１０中のキースイッチ１０Ｂ，２０Ｂ，３０Ｂ，４０Ｂ，５０Ｂの相互の接続状態及び各部の信号の流れを示す図である。
この図１２に示すように、センサ部１１Ｂがユーザの指先の接近又は接触を検出したとき、制御部１６が検出信号Ｕを生成して出力すると共に、キースイッチ２０Ｂ，３０Ｂ，４０Ｂ，５０Ｂの周辺センサ検出部２２Ｂ，３２Ｂ，４２Ｂ，５２Ｂに対して発光指示信号Ｑ1 ，Ｑ2 ，Ｑ3 ，Ｑ4 を送出する。周辺センサ検出部２２Ｂ，３２Ｂ，４２Ｂ，５２Ｂは、“Ｈ”の発光指示信号Ｑ1 ，Ｑ2 ，Ｑ3 ，Ｑ4 又は“Ｈ”の検出信号Ｕを入力したとき、同発光指示信号Ｑ1 ，Ｑ2 ，Ｑ3 ，Ｑ4 又は検出信号Ｕに基づいてキーバックライト発光部２３Ｂ，３３Ｂ，４３Ｂ，５３Ｂを発光させる。周辺センサ検出部１２Ｂは、キースイッチ２０Ｂ，３０Ｂ，４０Ｂ，５０Ｂの制御部２６，３６，４６，５６から“Ｈ”の発光指示信号Ｋ1 ，Ｋ2 ，Ｋ3 ，Ｋ4 が送出されたとき、同発光指示信号Ｋ1 ，Ｋ2 ，Ｋ3 ，Ｋ4 に基づいてキーバックライト発光部１３Ｂを発光させ、キースイッチ１０Ｂに照光する。このため、第１の実施形態と同様に、キースイッチ１０Ｂに照光されると共に、同キースイッチ１０Ｂに予め対応付けられたキースイッチ２０Ｂ，３０Ｂ，４０Ｂ，５０Ｂのみに照光され、他のキースイッチ６０Ｂ，７０Ｂ，…は、照光されない。
【００３７】
以上のように、この第３の実施形態では、各キースイッチ１０Ｂ，２０Ｂ，…，９０Ｂ，…に制御部２６，３６，４６，５６を設けたので、第２の実施形態の利点に加え、各キースイッチの構成が単純化される。
【００３８】
第４の実施形態
図１３は、この発明の第４の実施形態である携帯電話機の各キースイッチの相互の接続状態及び各部の信号の流れを示す図、及び図１４が第１の実施形態を示す図１中のキースイッチ１０，２０，３０，４０，５０，６０，７０，８０，９０の照光された状態を示す図であり、第１の実施形態を示す図４中の要素及び図６中の要素と共通の要素には共通の符号が付されている。
図１３に示すように、センサ部１１は、ユーザの指先の接近又は接触を検出したとき、検出信号Ｍを生成して出力すると共に、キースイッチ２０，３０，４０，５０，６０，７０，８０，９０の周辺センサ検出部２２，３２，４２，５２，６２，７２，８２，９２に対して発光指示信号Ｊを送出する。周辺センサ検出部２２，３２，４２，５２，６２，７２，８２，９２は、発光指示信号Ｊを入力したとき、検出信号Ｎを生成する。周辺センサ検出部１２は、キースイッチ２０，３０，４０，５０のセンサ部２１，３１，４１，５１から発光指示信号Ｋ1 ，Ｋ2 ，Ｋ3 ，Ｋ4 が送出されたとき、同発光指示信号Ｋ1 ，Ｋ2 ，Ｋ3 ，Ｋ4 に基づいて検出信号Ｎを生成して出力する。キーバックライト発光部１３は、検出信号Ｍ又は検出信号Ｎに基づいて発光して自キースイッチ１０に照光する。
【００３９】
同様に、キースイッチ２０，３０，４０，５０，６０，７０，８０，９０のキーバックライト発光部２３，３３，４３，５３，６３，７３，８３，９３も、それぞれの検出信号Ｍ又は検出信号Ｎに基づいて発光して自キースイッチ２０，３０，４０，５０，６０，７０，８０，９０に照光する。従って、図１４に示すように、同キースイッチ１０に照光されると共に、同キースイッチ１０に予め対応付けられたキースイッチ２０，３０，４０，５０，６０，７０，８０，９０のみに照光され、他のキースイッチは、照光されない。
【００４０】
以上のように、この第４の実施形態では、各キースイッチ１０，２０，…，９０，…に、ユーザの指先の接近又は接触を検出するセンサ部１１，２１，…，９１，…を設け、指先が接近又は接触したキースイッチ１０及び同キースイッチ１０に予め対応付けられたキースイッチ２０，３０，４０，５０，６０，７０，８０，９０のみのキーバックライトが発光するようにしたので、第１の実施形態とほぼ同様の利点がある。
【００４１】
以上、この発明の実施形態を図面により詳述してきたが、具体的な構成はこの実施形態に限られるものではなく、この発明の要旨を逸脱しない範囲の設計の変更などがあってもこの発明に含まれる。
例えば、センサ１１1 は、静電容量変化センサの他、人体の熱を検出する温度センサなど、ユーザの指先の接近又は接触を検出するものであれば、任意のセンサで良い。また、ｎＭＯＳ１３2 やｎＭＯＳ１３１１3 ，１１4 ，１１4 ，１１5 は、バイポーラトランジスタで構成しても良い。但し、この場合、ＯＲ回路１３1 やバッファ１１2 は、バイポーラトランジスタにベース電流を供給できるものにする必要がある。ＬＥＤ１３3 は、例えばＥＬなどで構成しても良い。また、第４の実施形態では、図１の携帯電話機を例にして説明したが、同様の動作は図７又は図１０の携帯電話機にも適用できる。但し、この場合、図８中の４個のｎＭＯＳ１１3 ，１１4 ，１１4 ，１１5 を８個に増加する必要があり、図１１中の出力Ｉ／Ｏ部１６4 は、８系統の発光指示信号を生成するものにする必要がある。また、この発明は、携帯電話機の他、バックライト付きのキースイッチを用いた電子機器全般に適用できる。
【００４２】
【発明の効果】
以上説明したように、この発明の構成によれば、各キースイッチにユーザの指先の接近又は接触を検出するセンサ部を設け、指先が接近又は接触したキースイッチ及び同キースイッチに予め対応付けられたキースイッチのみのキーバックライトが発光するようにしたので、全てのキースイッチのキーバックライトが同時に発光することがなく、消費電力を低減できる。このため、電池を電源とする携帯用の電子機器の使用可能時間を長くできる。さらに、ユーザが押下したいキースイッチに指が接近又は接触したことをトリガとしてキーバックライトが発光するので、ユーザが任意のキースイッチを故意に押下してキーバックライトを発光させる必要がなく、操作性を向上できる。
【図面の簡単な説明】
【図１】この発明の第１の実施形態である携帯電話機の外観図である。
【図２】図１中のキースイッチ１０の電気的構成を示すブロック図である。
【図３】図２のキースイッチ１０の電気的構成を示す回路図である。
【図４】図１中のキースイッチ１０，２０，３０，４０，５０の相互の接続状態及び各部の信号の流れを示す図である。
【図５】図１の携帯電話機の動作を説明するためのフローチャートである。
【図６】キースイッチ１０，２０，３０，４０，５０の照光された状態を示す図である。
【図７】この発明の第２の実施形態である携帯電話機の要部を示す外観図である。
【図８】図７中のキースイッチ１０Ａの電気的構成を示す回路図である。
【図９】図７中のキースイッチ１０Ａ，２０Ａ，３０Ａ，４０Ａ，５０Ａの相互の接続状態及び各部の信号の流れを示す図である。
【図１０】この発明の第３の実施形態である携帯電話機の要部を示す外観図である。
【図１１】図１０中のキースイッチ１０Ｂの電気的構成を示す回路図である。
【図１２】図１０中のキースイッチ１０Ｂ，２０Ｂ，３０Ｂ，４０Ｂ，５０Ｂの相互の接続状態及び各部の信号の流れを示す図である。
【図１３】この発明の第４の実施形態である携帯電話機の各キースイッチの相互の接続状態及び各部の信号の流れを示す図である。
【図１４】キースイッチ１０，２０，３０，４０，５０，６０，７０，８０，９０の照光された状態を示す図である。
【符号の説明】
１０，２０，…，９０，…      キースイッチ
１０Ａ，２０Ａ，…，９０Ａ，…      キースイッチ
１０Ｂ，２０Ｂ，…，９０Ｂ，…      キースイッチ
１１，２１，３１，４１，５１，６１，７１，８１，９１      センサ部
１１Ａ，２１Ａ，３１Ａ，４１Ａ，５１Ａ      センサ部
１１Ｂ，２１Ｂ，３１Ｂ，４１Ｂ，５１Ｂ      センサ部
１２，２２，３２，４２，５２，６２，７２，８２，９２      周辺センサ検出部
１２Ａ，２２Ａ，３２Ａ，４２Ａ，５２Ａ      周辺センサ検出部
１２Ｂ，２２Ｂ，３２Ｂ，４２Ｂ，５２Ｂ      周辺センサ検出部
１３，２３，３３，４３，５３，６３，７３，８３，９３      キーバックライト発光部
１３Ａ，２３Ａ，３３Ａ，４３Ａ，５３Ａ      キーバックライト発光部
１３Ｂ，２３Ｂ，３３Ｂ，４３Ｂ，５３Ｂ      キーバックライト発光部
【図１】
0004736250.tif 000002
【図２】
0004736250.tif 000003
【図３】
0004736250.tif 000004
【図４】
0004736250.tif 000005
【図５】
0004736250.tif 000006
【図６】
0004736250.tif 000007
【図７】
0004736250.tif 000008
【図８】
0004736250.tif 000009
【図９】
0004736250.tif 000010
【図１０】
0004736250.tif 000011
【図１１】
0004736250.tif 000012
【図１２】
0004736250.tif 000013
【図１３】
0004736250.tif 000014
【図１４】
0004736250.tif 000015